(57)【要約】【課題】動画を含むコンテンツの動画部分とテキスト部分とを個別に管理でき、それぞれを別個の表示媒体に切り分けて表示することのできる表示システムを提供する。【解決手段】動画を含むコンテンツの表示システムとして、コンテンツ中の動画を表示する画像表示装置と、コンテンツ中のテキストおよび静止画を表示するテキスト表示装置と、画像表示装置およびテキスト表示装置の表示を制御する制御装置とを有し、制御装置が、コンテンツのデータを動画部分とテキスト部分および静止画部分とに分けて管理するとともに、動画部分のデータに基づいて画像表示装置に動画を表示させ、テキスト部分のデータおよび静止画部分のデータに基づいてテキスト表示装置にテキストおよび静止画を表示させることにより上記課題を解決する。【選択図】図１
2007334237.tif 000002
【特許請求の範囲】
【請求項１】
動画を含むコンテンツの表示システムであって、
前記コンテンツ中の動画を表示する画像表示装置と、
前記コンテンツ中のテキストおよび静止画を表示するテキスト表示装置と、
前記画像表示装置および前記テキスト表示装置の表示を制御する制御装置とを有し、
前記制御装置は、前記コンテンツのデータを動画部分とテキスト部分および静止画部分とに分けて管理するとともに、前記動画部分のデータに基づいて前記画像表示装置に動画を表示させ、前記テキスト部分のデータおよび静止画部分のデータに基づいて前記テキスト表示装置にテキストおよび静止画を表示させることを特徴とする表示システム。
【請求項２】
前記テキスト表示装置は、指示入力手段、および前記指示入力手段によって入力された指示を前記制御装置へ送信する送信手段を備え、
前記制御装置は、前記テキスト表示装置から送信された指示に従って、前記画像表示装置への前記コンテンツの表示を制御する請求項１に記載の表示システム。
【請求項３】
前記テキスト表示装置は、前記コンテンツ中の動画の１シーンを静止画で表示する請求項１または２に記載の表示システム。
【請求項４】
前記制御装置は、前記画像表示装置に動画再生表示する前記コンテンツの進行に応じて前記テキスト表示装置の表示を切り替える請求項１〜３のいずれかに記載の表示システム。
【請求項５】
前記テキスト表示装置は、シート状表示媒体を用いるものである請求項１〜４のいずれかに記載の表示システム。
【請求項６】
前記テキスト表示装置は、複数枚のシート状表示媒体を冊子状に束ねた構成を有し、見開き１ページごとに現在再生可能な複数のコンテンツのうちの１つを表示する請求項５に記載の表示システム。
【請求項７】
前記制御装置は、前記シート状表示媒体の開かれているページに対応するコンテンツを前記画像表示装置に表示する請求項６に記載の表示システム。
【請求項８】
前記画像表示装置および前記テキスト表示装置のほかに１以上の制御対象機器を有し、
前記制御装置は、前記制御対象機器の操作解説を前記画像表示装置および前記テキスト表示装置に表示させ、かつ、前記テキスト表示装置から送信された指示に従って、前記制御対象機器の動作を制御する請求項１〜７のいずれかに記載の表示システム。
【請求項９】
１以上の制御対象機器と、
前記制御対象機器の操作解説のテキストおよび静止画を表示するテキスト表示装置と、
前記テキスト表示装置の表示を制御するとともに前記制御対象機器の動作を制御する制御装置とを有し、
前記テキスト表示装置は、指示入力手段、および前記指示入力手段によって入力された指示を前記制御装置へ送信する送信手段を備え、
前記制御装置は、前記テキスト表示装置から送信された指示に従って、前記制御対象機器の動作を制御することを特徴とする機器制御システム。
【請求項１０】
前記テキスト表示装置は、複数枚のシート状表示媒体を冊子状に束ねた構成を有し、見開き１ページごとに前記１以上の制御対象機器のうちの１つの操作解説を表示する請求項９に記載の機器制御システム。
【発明の詳細な説明】
【技術分野】
【０００１】
本発明は、コンテンツのテキスト部分と画像部分を個別に管理でき、テキスト表示媒体と画像表示媒体を切り分けて表示制御を行う表示システム、および、テキスト表示媒体に基づく指示によって画像表示媒体またはその他の機器を制御する制御システムに関する。
【背景技術】
【０００２】
近年、電子ペーパと呼ばれる電気的に表示制御可能な極薄型の表示媒体が開発されている。電子ペーパは、従来の液晶ディスプレイ等に比べて、日光の下でもコントラストの変化が小さく、視野角依存性も少ないため見やすいこと、表示に必要な電力は画面の切り替え時にのみ発生し、静止画を維持するときには電力が必要ないため電力消費が非常に小さいこと、非常に薄くて軽量であること、といった利点を有している。
【０００３】
電子ペーパを利用した表示装置として、特許文献１には、電子ペーパを複数枚束ね、各ページに１枚または複数枚のデジタル画像を表示させて、紙製のアルバムのように観賞することができるようにした画像表示装置が提案されている。
しかし、電子ペーパは、応答速度が遅く、画面の書き替えに時間が掛かるため、動画への対応は難しい。そのため、電子ペーパの用途は、本やアルバムといった紙媒体を代替する用途に限られてしまっている。
【０００４】
一方、デジタル記録技術の発展により、現在では、映画などのコンテンツがＤＶＤ等のデジタル記録媒体に記録されて一般に利用されている。また、デジタルテレビ放送も行われている。このようなデジタルのコンテンツは、動画および音声によるメインのコンテンツに文字情報を付加することや、１つのコンテンツを複数のチャプタに区切って管理することもできる。そして、そのような文字情報や管理情報の表示は、モニタで再生されるメインのコンテンツの再生領域を縮小して、その脇に表示する方法や、メインのコンテンツを中断し、画面を切り替えて表示する方法により行われている。
しかし、文字情報や管理情報は有益ではあっても、メインのコンテンツの観賞中に表示が縮小されたり中断されたりするのは、煩わしいこともある。
【０００５】
また、昨今の電化製品は、デジタル信号で動作制御が可能になっており、リモコン（リモートコントローラ）を用いた操作が行われている。
しかし、電化製品の多機能化に伴って、操作内容が複雑となっている。そのため、取り扱い説明書を見ることが必要となる場合も多いが、取り扱い説明書の情報量が多く、必要な項目を探すのは簡単でない。また、家庭内に似たようなリモコンが複数あるのも煩わしい。
【０００６】
【特許文献１】特開２００２−５５６５１号公報
【発明の開示】
【発明が解決しようとする課題】
【０００７】
本発明の目的は、上記従来技術の問題点を解消し、動画を含むコンテンツの動画部分とテキスト部分とを個別に管理でき、それぞれを別個の表示媒体に切り分けて表示することのできる表示システムを提供することにある。
さらに、本発明の目的は、各種の機器の操作解説を１つの表示媒体に表示するとともに、その表示に基づいて各機器の操作を行うことのできる機器制御システムを提供することにある。
【課題を解決するための手段】
【０００８】
上記課題を解決するために、本発明は、動画を含むコンテンツの表示システムであって、
前記コンテンツ中の動画を表示する画像表示装置と、
前記コンテンツ中のテキストおよび静止画を表示するテキスト表示装置と、
前記画像表示装置および前記テキスト表示装置の表示を制御する制御装置とを有し、
前記制御装置は、前記コンテンツのデータを動画部分とテキスト部分および静止画部分とに分けて管理するとともに、前記動画部分のデータに基づいて前記画像表示装置に動画を表示させ、前記テキスト部分のデータおよび静止画部分のデータに基づいて前記テキスト表示装置にテキストおよび静止画を表示させることを特徴とする表示システムを提供する。
【０００９】
ここで、前記テキスト表示装置は、指示入力手段、および前記指示入力手段によって入力された指示を前記制御装置へ送信する送信手段を備え、
前記制御装置は、前記テキスト表示装置から送信された指示に従って、前記画像表示装置への前記コンテンツの表示を制御するのが好ましい。
【００１０】
また、前記テキスト表示装置は、前記コンテンツ中の動画の１シーンを静止画で表示するのが好ましい。
また、前記制御装置は、前記画像表示装置に動画再生表示する前記コンテンツの進行に応じて前記テキスト表示装置の表示を切り替えるのが好ましい。
【００１１】
また、前記テキスト表示装置は、シート状表示媒体を用いるものであるのが好ましい。
また、前記テキスト表示装置は、複数枚のシート状表示媒体を冊子状に束ねた構成を有し、見開き１ページごとに現在再生可能な複数のコンテンツのうちの１つを表示するのが好ましい。
また、前記制御装置は、前記シート状表示媒体の開かれているページに対応するコンテンツを前記画像表示装置に表示するのが好ましい。
【００１２】
また、前記画像表示装置および前記テキスト表示装置のほかに１以上の制御対象機器を有し、
前記制御装置は、前記制御対象機器の操作解説を前記画像表示装置および前記テキスト表示装置に表示させ、かつ、前記テキスト表示装置から送信された指示に従って、前記制御対象機器の動作を制御するのが好ましい。
【００１３】
また、本発明は、１以上の制御対象機器と、
前記制御対象機器の操作解説のテキストおよび静止画を表示するテキスト表示装置と、
前記テキスト表示装置の表示を制御するとともに前記制御対象機器の動作を制御する制御装置とを有し、
前記テキスト表示装置は、指示入力手段、および前記指示入力手段によって入力された指示を前記制御装置へ送信する送信手段を備え、
前記制御装置は、前記テキスト表示装置から送信された指示に従って、前記制御対象機器の動作を制御することを特徴とする機器制御システムを提供する。
【００１４】
ここで、前記テキスト表示装置は、複数枚のシート状表示媒体を冊子状に束ねた構成を有し、見開き１ページごとに前記１以上の制御対象機器のうちの１つの操作解説を表示するのが好ましい。
【００１５】
また、上記各システムにおいて、前記テキスト表示装置は、シート状表示媒体として電子ペーパを用いたものであるのが好ましい。
【発明の効果】
【００１６】
本発明によれば、液晶ディスプレイ等の画像表示装置に動画を表示する場合に、その動画に関するテキスト情報および静止画を、電子ペーパ等を用いたテキスト表示装置に表示させる構成としたことにより、文章は手元の電子ペーパで読み易くなり、かつ、動画は大画面ディスプレイで高品質に再生して観賞することができる。
また、本発明によれば、各種の機器の操作解説を電子ペーパ等を用いたテキスト表示装置に表示させる構成としたことにより、機器の操作性を向上させることができる。
さらに、本発明の表示システムおよび機器制御システムにおいて、電子ペーパを用いた指示入力に従って表示制御および各機器の動作制御をする構成としたことにより、電子ペーパで表示装置のリモコンや各種機器のリモコンを代替でき、操作性を向上させることができる。
【発明を実施するための最良の形態】
【００１７】
本発明に係る表示システムおよび機器制御システムを、添付の図面に示す好適実施例に基づいて、以下に詳細に説明する。
【００１８】
図１は、本発明の一実施形態である表示システム１０の概略構成を概念的に示す模式図である。
表示システム１０は、コンテンツ源１８から取得した、動画を含むコンテンツを動画と文章（テキスト）に切り分けて再生表示するものであって、コンテンツ中の動画を表示する画像表示装置であるモニタ１２と、コンテンツ中の文章（テキスト）および静止画を表示するテキスト表示装置である電子ペーパ部１４と、モニタ１２および電子ペーパ部１４の表示を制御する制御装置であるホームサーバ１６とを有している。
【００１９】
モニタ１２は、従来用いられているテレビのモニタやパソコンのモニタと同様の、動画再生に対応可能なものであり、ホームサーバ１６に接続されている。モニタ１２としては、液晶ディスプレイ、プラズマディスプレイ、有機ＥＬディスプレイ、ＣＲＴ等の各種のディスプレイを利用することができる。
【００２０】
電子ペーパ部１４は、コンテンツの静止表示を行うものであり、コンテンツ中の文章と静止画とを混在表示できる。また、表示システム１０においては、好ましい形態として、電子ペーパ部１４は、電子ペーパを複数枚束ねて冊子状に構成されている。電子ペーパ部１４には、見開き１ページにつき１単位のコンテンツに関する情報が表示される。
なお、電子ペーパ部１４としては、略シート状の表示媒体であって、ユーザが手で持ったり操作したりするのに適当なサイズにできるものであれば、電子ペーパ以外の表示媒体を用いてもよい。
【００２１】
電子ペーパ部１４は、再生操作部２０と、文章を表示する文章エリア２２と、静止画を表示する画像エリア２４とを備えている。
電子ペーパ部１４は、無線でホームサーバ１６と通信できる。再生操作部２０は、ホームサーバ１６との通信手段として機能し、ホームサーバ１６から送られた情報に基づいて文章エリア２２および画像エリア２４に文章および静止画を表示する。
また、再生操作部２０は、ホームサーバ１６から送信されたコンテンツの文章および静止画（静止表示用の内容）のデータを、表示に必要な所定容量分仮記憶するメモリを備えている。
【００２２】
再生操作部２０は、外部からの指示入力を受け付ける指示入力手段、および、入力された指示をホームサーバ１６へ送信する送信手段としても機能する。電子ペーパ部１４を構成する電子ペーパには、タッチパネル層が設けられており、表示部分が触れられることにより、再生操作部２０が対応する指示信号を取得して、ホームサーバ１６へ送信する。
タッチパネル層は、電子ペーパの全面に設けてもよいし、その一部（例えば、文章エリア２２の所定領域、または、図１中の再生操作部２０に対応する領域）にのみ設けてもよい。また、指示入力手段としては、電子ペーパ面にタッチパネル層を設ける形態のほかにも、再生操作部２０として操作用ボタンを設ける形態などを採用してもよい。
このような再生操作部２０の指示入力機能および送信機能により、電子ペーパ部１４は、ホームサーバ１６のリモコンとして機能する。
【００２３】
電子ペーパ部１４の各ページの表示内容は、ユーザがカスタマイズでき、長期的に保存される。
例えば、見開きページごとに異なるコンテンツを表示するように設定することもできるし、１つのコンテンツが複数のチャプタに分かれている場合には、電子ペーパ部１４の最初のページを目次とし、見開きページごとに各チャプタの内容を表示するように設定することもできる。
また、各ページにおける文章エリア２２および画像エリア２４の配置を、ユーザが再生操作部２０（タッチパネルまたは操作用ボタン等）を操作することにより設定可能としてもよい。さらに、文章エリア２２として表示する項目やその優先順位、画像エリア２４に表示する静止画の選択基準（先頭コマ、主要シーンと判別されたコマ等）も、ユーザが設定することができる。
【００２４】
ユーザが設定した各ページの表示内容は、新たな設定がされるまで、再生操作部２０またはホームサーバ１６に保存される。ホームサーバ１６は、その設定に従って、文章エリア２２および画像エリア２４の表示用データを生成し、電子ペーパ部１４に送信する。
【００２５】
ホームサーバ１６は、大容量メモリを有しており、デジタルテレビ放送、ＤＶＤ等の記録媒体、インターネット等のコンテンツ源１８から取得したコンテンツを記憶する。コンテンツは、動画と文章情報とを含む、デジタルデータで取得可能なものであり、例えば、テレビ放送番組、映画、音楽ビデオ、電子ブック、パソコンのソフトウェア、インターネットのホームページなどである。
ホームサーバ１６は、デジタルテレビ放送を受信して生放送または録画放送のテレビ番組のデータを取得し、または、市販のＤＶＤ等の記録媒体を読み取ることにより記録された映画や電子ブックやパソコンソフトウェア等のデータを取得し、または、インターネットにより配信された音楽ビデオやインターネットホームページ等のデータを取得して、メモリに記憶する。
【００２６】
ホームサーバ１６は、コンテンツのデータを動画部分と、文章（テキスト）部分および静止画部分とに分けて管理する。そして、動画部分のデータに基づいてモニタ１２に動画を再生表示させ、文章部分のデータおよび静止画部分のデータに基づいて電子ペーパ部１４に文章および静止画を表示させる。
【００２７】
静止画の選択は、コンテンツに代表コマが予め設定されていれば、そのコマを選択すればよく、ユーザの電子ペーパ部１４からの設定によりコマの選択基準が設定されていれば、その設定に従って、先頭コマや主要コマを選択すればよい。主要コマの選択方法（判別方法）としては、例えば、画像フレーム間の変化量が大きいシーン、または、音声の変化量が大きいシーンからコマを選択する方法が挙げられる。
【００２８】
ホームサーバ１６から文章データおよび静止画データが送信されることにより、電子ペーパ部１４には、見開き１ページにつき１単位のコンテンツに関する情報が表示される。
例えば、電子ペーパ部１４には、ホームサーバ１６が有するコンテンツ、すなわち現在再生可能なコンテンツが、見開き１ページにつき１件ずつ表示される。
また、例えば、コンテンツが映画やテレビ番組であってチャプタに分けられている場合には、文章エリア２２には、チャプタ毎の解説文が表示され、画像エリア２４には、チャプタ毎の先頭コマなどの動画の１シーンが表示される。ページをめくると、次のチャプタの内容が表示されている。
【００２９】
ユーザが、再生操作部２０の再生マークに触れる、あるいは画像エリア２４に触れる、再生操作部２０として設けられた再生ボタンを押す、といった操作を行うことにより、モニタ１２での画像再生を指示すると、その指示情報が再生操作部２０からホームサーバ１６へ発信される。
指示情報には、見開きページごとに１つのコンテンツが表示されている場合には、今開いているページの情報に基づくコンテンツの識別情報と、再生操作部２０からの操作内容を示す情報とが含まれる。また、チャプタ単位での表示がされている場合には、指示情報には、今開いているページの情報に基づくコンテンツの識別情報およびチャプタの識別情報と、再生操作部２０からの操作内容を示す情報とが含まれる。
【００３０】
指示情報を受信したホームサーバ１６は、その情報内容に従ってコンテンツの動画をモニタ１２において再生する。
再生の停止、巻き戻し、早送りといった各種の指示についても、再生指示と同様にして行われる。
【００３１】
このように、本発明の表示システム１０では、ホームサーバ１６が、１つのコンテンツのうち文章は電子ペーパ部１４へ、動画はモニタ１２へ切り分けて表示するので、文章は手元の電子ペーパで読みやすくなり、かつ、画像は大画面テレビ等のモニタで高品質なものを観賞できる。
また、電子ペーパ部１４の見開きページにより再生するコンテンツやコンテンツ中のチャプタを選択できるので、電子ペーパ部１４がテレビやビデオのリモコンを代替でき、優れた操作性を得ることができる。
【００３２】
なお、電子ペーパ部１４は、複数ページを有するものには限定されない。電子ペーパ部１４は、１つのページ（または１つの見開きページ）に複数のコンテンツの静止画および文章、または文章のみを、同時に表示することもでき、その場合には、電子ペーパ部１４を１ページ（または１つの見開きページ）のみで構成してもよい。
【００３３】
次に、表示システム１０の他の実施形態について説明する。
上述の実施形態では、コンテンツの再生操作を電子ペーパ部１４によって行う形態としたが、本実施形態では、コンテンツの再生操作はホームサーバ１６を主体として行い、モニタ１２で再生される動画コンテンツの再生進行に応じて、電子ペーパ部１４の表示内容が切り替わる。
【００３４】
ホームサーバ１６の本体またはリモコンによってコンテンツの再生が指示されると、ホームサーバ１６は、そのコンテンツの動画をモニタ１２で再生するとともに、その進行に応じた所定のタイミングで、対応する文章データおよび静止画データを電子ペーパ部１４へ発信する。所定のタイミングとは、例えば、チャプタの変わり目、シーンの変わり目、文章情報が付与されている箇所が来た時、などのタイミングである。
【００３５】
電子ペーパ部１４では、ホームサーバ１６から受信したデータに応じて文章エリア２２および画像エリア２４の表示を自動的に切り替える。
このように構成することにより、ユーザは、モニタ１２で再生されている動画に対応する文章情報を、手元の電子ペーパ部１４で見ることができ、動画および文章とも見やすく、多くの情報を得ることができる。
【００３６】
この形態において、モニタ１２での動画再生を中断した場合には、そのときに電子ペーパ部１４で表示されていた情報を編集データとして、ホームサーバ１６で、あるいは電子ペーパ部１４で保存しておき、次回の電子ペーパ部１４の再生時におけるスタート画面を、前回停止した時点での文章および静止画の表示とするのが好ましい。モニタ１２での動画再生も、ホームサーバ１６に保存された編集データによって、前回の停止時（または少し遡ったところ）からスタートするようにすればよい。
これにより、再スタート時のモニタ１２および電子ペーパ部１４での表示の立ち上がり時間を短縮することができる。
【００３７】
なお、モニタ１２での再生が開始されれば、それに続いて、対応する静止表示用データがホームサーバ１６から電子ペーパ部１４に送信されるので、モニタ１２での再生中断時の編集データを保存しなくても、モニタ１２での再生に対応する箇所からの電子ペーパ部１４の再生は可能である。
【００３８】
次に、表示システム１０のさらに異なる実施形態について説明する。
上述の各実施形態では、ホームサーバ１６がコンテンツデータを記憶し、動画をモニタ１２に再生するとともに電子ペーパ部１４の見開きページにコンテンツ単位またはコンテンツのチャプタ単位での表示を行うこととしたが、本実施形態では、モニタ１２およびホームサーバ１６を通常のデジタルテレビとして機能させ、テレビ番組をホームサーバ１６のメモリに記憶することなくモニタ１２に表示するとともに、複数ページで構成される電子ペーパ部１４において、見開き１ページにつき、テレビチャンネル１局分の番組予定表を表示する。
【００３９】
本実施形態では、電子ペーパ部１４が、ユーザが必要とするチャンネル分の見開きページ数を有していることが必要である。各局の番組予定表は、ホームサーバ１６がデジタルテレビ放送局から発信される電子番組ガイドを取得し、そのデータに基づいて電子ペーパ部１４に表示させることができる。
【００４０】
電子ペーパ部１４のページをめくると、開いているページが電子ペーパ部１４に組み込まれたセンサによって検出される。再生操作部２０は、その検出結果に基づいて、何チャンネルのページが開かれているかを認識して、そのページのテレビチャンネルを選択する信号をホームサーバ１６へ発信する。
ホームサーバ１６は、テレビチャンネルの選択信号を受け取ると、モニタ１２の表示をそのテレビチャンネル画面に切り替える。
すなわち、本実施形態では、電子ペーパ部１４が、番組表およびリモコンとして機能する。
【００４１】
この実施形態では、電子ペーパ部１４には、開いているページを検出するセンサが設けられていれば、タッチパネル層や操作ボタンを設けなくてもよい。
また、電子ペーパ部１４にタッチパネル層や操作ボタンを設け、表示された番組予定表の中で、希望の番組をタッチすることにより、録画予約ができるようにするのも好ましい。録画は、ホームサーバ１６において、大容量メモリやＤＶＤ等の記録媒体にデータ記録することにより行うことができる。
【００４２】
このように、電子ペーパ部１４の見開きページによりテレビチャンネルを選択でき、さらには録画予約ができるので、電子ペーパ部１４がテレビやビデオのリモコンを代替でき、優れた操性を得ることができる。
【００４３】
また、デジタルテレビ放送では、動画および音声の放送に加え、データ放送が行われている。通常、データ放送は、テレビ画面の動画コンテンツの表示領域を縮小して、動画の脇のスペースに表示されている。
これに対し、表示システム１０においては、ホームサーバ１６は、電子ペーパ部１４の電源が入っているときには、動画および音声をモニタ１２で再生し、デジタル放送のデータ放送内容は電子ペーパ部１４へ表示するように制御するのが好ましい。
このように動画コンテンツの表示とデータ放送の表示を切り分けることによって、データ放送が、モニタ１２での動画コンテンツ表示の邪魔にならず、データ放送の方も手元の電子ペーパ部１４で見やすくなる。
【００４４】
次に、表示システム１０のさらに異なる実施形態について説明する。
表示システム１０の構成において、モニタ１２およびホームサーバ１６は、通常のパソコンと同様に用いることもできる。モニタ１２の画面（パソコン画面）で、複数のウィンドウを開くと、各ウィンドウが、電子ペーパ部１４の各ページにも表示される。すなわち、電子ペーパ部１４の見開き１ページを１ウィンドウに対応させる。
モニタ１２のパソコン画面上でウィンドウを切り替えるよりも、ページをめくる方が操作性がよいため、このように構成することにより、パソコン操作が楽になる。
【００４５】
次に、本発明の他の実施形態について説明する。
図２は、本発明の他の実施形態である機器制御システム３０の概略構成を概念的に示す模式図である。
機器制御システム３０は、ホームサーバ３６によって１つまたは複数の制御対象機器３８をするもので、制御対象機器３８の操作解説のテキストおよび静止画を表示するテキスト表示装置である電子ペーパ部３４と、テキスト表示装置の表示を制御するとともに前記制御対象機器の動作を制御するホームサーバ３６とを有している。また、好ましい形態として、機器制御システム３０は、制御対象機器３８の操作解説の動画を表示するモニタ３２を有している。
制御対象機器３８は、例えば、家庭内の各種の家電製品であり、ＡＶ機器、エアコン、電話・ＦＡＸ、プリンタ等である。
【００４６】
機器制御システム３０と図１の表示システム１０とは、ホームサーバ３６（１６）が制御対象（モニタ１２または制御対象機器３８）の制御を行うとともに、関連するテキスト情報を電子ペーパ部３４（１４）に表示する点、さらには、電子ペーパ部３４（１４）からの指示で制御対象の制御が可能である点で共通する。また、機器制御システム３０の操作解説に動画が含まれている場合には、ホームサーバ３６は、操作解説（コンテンツ）の動画部分とテキスト部分とを個別に管理し、それぞれを別個の表示媒体に切り分けて表示する点で共通する。
【００４７】
電子ペーパ部３４は、操作部４０と、文章を表示する文章エリア４２と、静止画を表示する画像エリア４４とを備える点、ホームサーバ３６と無線通信可能な点は、図１の表示システム１０における電子ペーパ部１４と同様である。
また、操作部４０は、表示システム１０における再生操作部２０と基本的に同様の構成を有している。
【００４８】
すなわち、操作部４０は、ホームサーバ３６との通信手段として機能し、ホームサーバ３６から送られた情報に基づいて文章エリア４２および画像エリア４４に文章および静止画を表示する。文章および静止画の表示のために、操作部４０は、ホームサーバ３６から送信された表示コンテンツの文章および静止画のデータを、表示に必要な所定容量分仮記憶するメモリを備えている。
また、操作部４０は、外部からの指示入力を受け付ける指示入力手段、および、入力された指示をホームサーバ３６へ送信する送信手段としても機能する。すなわち、電子ペーパ部３４を構成する電子ペーパには、タッチパネル層が設けられており、表示部分が触れられることにより、操作部４０が対応する指示信号を取得して、ホームサーバ３６へ送信する。
【００４９】
一方、電子ペーパ部３４は、各ページ（見開き１ページ）にタグ４６を有しており、タグ４６には、制御対象機器３８である１つの機器名が表示されている。電子ペーパ部３４のページを開くと、そのページのタグ４６に表示された機器名に該当する機器の操作解説が表示される。タグ４６の表示は、ユーザの指示入力により変更可能である。
【００５０】
ホームサーバ３６の内部メモリには、家庭内の家電、その他制御対象機器３８の全般の操作解説データ（解説コンテンツ）が記録されている。ホームサーバ３６は、電子ペーパ部３４の開かれたページに対応する制御対象機器３８の操作解説データを電子ペーパ部３４に送信し、文章エリア４２および画像エリア４４に表示させる。
【００５１】
操作解説データを受信した電子ペーパ部３４の操作部４０は、例えば、文章エリア４２に使用方法の解説文を表示し、画像エリア４４に操作指示画面を表示する。画像エリア４４に表示する静止画を、リモコン的な表示にし、タッチパネルで操作可能とするのが好ましい。特に、各機器のリモコン現物と同一の表示とすることが好ましく、これにより、ユーザは、各機器の操作を違和感なく簡単に行うことができる。すなわち、本実施形態では、各機器のリモコンを、電子ペーパが肩代わりすることができる。
【００５２】
このように、本実施形態では、電子ペーパ部３４の見開きページにより、制御対象機器３８のうちの操作対象を選択することができる。すなわち、電子ペーパ部３４で１または複数の機器のリモコンを代替でき、操作性を向上させることができる。
【００５３】
また、ホームサーバ３６は、操作解説データに動画があれば、その動画部分はモニタ３２に表示する。モニタ３２は、図１の表示システム１０におけるモニタ１２と同様のもので、通常の各種ディスプレイを利用することができる。
【００５４】
電子ペーパ部３４において、制御対象機器３８の稼動状況をタグの色で通知するのも好ましい。
ホームサーバ３６は、各制御対象機器３８と通信して、それらの電源のＯＮ／ＯＦＦ、電源ＯＮにおける稼働／停止等の各状態を検出し、検出結果を電子ペーパ部３４に送信する。電子ペーパ部３４の操作部４０は、受信した稼働状態の検出結果に応じて、予め設定された色をその機器のページのタグ４６に表示させる。
これにより、ユーザは、各家電の稼働状況をひと目で把握することができる。
【００５５】
さらに、タグ４６に表示された機器のページを開閉することにより、該当する機器の起動および終了を操作できるようにモード設定することもできる。すなわち、電子ペーパ部３４の開／閉が、リモコンのＯＮ／ＯＦＦに該当する。
または、電子ペーパ部３４の全体を閉じると、家中の家電全体を終了させる（ＯＦＦにする）ように設定することもできる。
【００５６】
上記において本発明の種々の実施形態について説明したが、本発明のシステムとして、上記各実施形態のうち２以上の形態を組み合わせて実行可能なシステムを構成するのも好ましい。図１の表示システム１０に、図２の機器制御システム３０の機能を組み合わせることも可能である。
【００５７】
また、上記の各例では、家庭内に構築されるシステムを例に説明したが、本発明はこれに限定されるものではなく、会社や各種施設等のさらに大規模な設備において同様のシステムを構築することもできる。
【００５８】
以上、本発明に係る表示システムおよび機器制御システムについて詳細に説明したが、本発明は、上記実施例に限定されず、本発明の主旨を逸脱しない範囲において、種々の改良や変更をしてもよいのはもちろんである。
【図面の簡単な説明】
【００５９】
【図１】本発明の一実施形態の概略構成を概念的に示す模式図である。
【図２】本発明の他の実施形態の概略構成を概念的に示す模式図である。
【符号の説明】
【００６０】
１０  表示システム
１２、３２  モニタ
１４、３４  電子ペーパ部
１６、３６  ホームサーバ
１８  コンテンツ源
２０  再生操作部
２２、４２  文章エリア
２４、４４  画像エリア
３０  機器制御システム
３８  制御対象機器
４０  操作部
４６  タグ
【図１】
2007334237.tif 000003
【図２】
2007334237.tif 000004